(57)【要約】【課題】容器の高速搬送および大容量アキュームが可能となり、下流側接続手段がコンパクトなアキューム装置を提供する。【解決手段】複列搬送手段７を、単列コンベヤＡ１〜Ａ４，Ｂ１〜Ｂ４の複数列配置をブロックとして複数ブロックに分けて構成し、上流側接続手段４を、ブロック内で構成する各単列コンベヤＡ１〜Ａ４，Ｂ１〜Ｂ４へ振分ける第１の振分け手段１５と、上流側コンベヤ３から第１の振分け手段１５に向けて振分ける第２の振分け手段１４によって選択的に接続するように構成し、第１の振分け手段１５を、容器受入れ中の単列コンベヤが属するブロックとは別のブロック側で、次に容器受入れ予定の単列コンベヤへ予め振分けの選択的接続をしておくように制御する構成としたことを特徴とする。【選択図】図１
2014047065.tif 000002
【特許請求の範囲】
【請求項１】
容器を単列で搬送する上流側コンベヤと、容器を単列で搬送する単列コンベヤを複数列配置した複列搬送手段と、容器を単列で搬送する下流側コンベヤと、前記上流側コンベヤと前記複列搬送手段の何れかの単列コンベヤとを接続する上流側接続手段と、前記複列搬送手段の何れかの単列コンベヤと前記下流側コンベヤとを接続する下流側接続手段と、前記下流側コンベヤ上の容器滞留を検知する容器滞留検知手段と、該容器滞留検知手段の検知信号が入力されるとともに前記上流側接続手段および前記複列搬送手段の作動制御をする制御装置とを備え、前記複列搬送手段の何れかの単列コンベヤを介して上流側コンベヤから下流側コンベヤへ容器を搬送し、下流側コンベヤ上に容器が滞留したときには、上流側接続手段の作動により接続を振分けて、異なる単列コンベヤに容器を搬入してアキュームするアキューム装置において、前記複列搬送手段を、単列コンベヤの複数列配置をブロックとして複数ブロックに分けて構成し、前記上流側接続手段を、前記ブロック内で構成する各単列コンベヤへ振分ける第１の振分け手段と、上流コンベヤから前記第１の振分け手段に向けて振分ける第２の振分け手段によって選択的に接続するように構成し、前記第１の振分け手段を、容器受入れ中の単列コンベヤが属するブロックとは別のブロック側で、次に容器受入れ予定の単列コンベヤへ予め振分けの選択的接続をしておくように制御する構成としたことを特徴とするアキューム装置。
【請求項２】
請求項１に記載するアキューム装置において、前記第２の振分け手段の出口から前記第１の振分け手段の入口に向けて振分ける第３の振分け手段を設ける構成としたことを特徴とするアキューム装置。
【請求項３】
請求項１又は２に記載するアキューム装置において、下流側コンベヤ上に容器が滞留したときには、これまで容器を搬送していた単列コンベヤの最下流側を停止させ、前記第２の振分け手段をこれまで容器搬送していた振り向け先とは別の振り向け先に振分けて、上流側コンベヤから搬送されてくる容器が、前記別の振り向け先を経て前記既に振分けが完了している第１の振分け手段を経るようにして、これまで容器搬送していたブロックとは別のブロックの単列コンベヤへ搬入されるように制御する構成としたことを特徴とするアキューム装置。
【請求項４】
請求項３に記載するアキューム装置において、前記第２の振分け手段によりこれまで容器を搬送していた振り向け先とは別の振り向け先に振分けた後に、これまで容器を搬送していた前記上流側接続手段にある搬送容器をこれまで容器を搬送していた単列コンベヤへ全て搬入してから、該単列コンベヤの最上流側を停止するように容器カウンターを設けて制御する構成としたことを特徴とするアキューム装置。
【請求項５】
請求項１から４の何れか一項に記載するアキューム装置において、前記下流側接続手段を、下流側接続用コンベヤと、前記各単列コンベヤの何れから前記下流側接続用コンベヤへ容器が搬送されてきても下流側コンベヤに容器を集合搬送できるようにした固定ガイドで構成したことを特徴とするアキューム装置。
【請求項６】
請求項１から５の何れか一項に記載するアキューム装置において、下流側コンベヤ上の容器滞留が解除されたときには、それまで容器をアキュームしていた単列コンベヤの内、一番先にアキュームしていた単列コンベヤを起動して下流側接続手段経由で下流側コンベヤへ容器を排出し、前記単列コンベヤ上の容器が全て排出されたら以降順次先にアキュームしていた単列コンベヤから容器を排出するように制御する構成としたことを特徴とするアキューム装置。
【発明の詳細な説明】
【技術分野】
【０００１】
本発明は、容器搬送ラインの途中で、容器を一時的にアキュームするアキューム装置に関する。
【背景技術】
【０００２】
従来から、上流側で充填等の処理をされた容器を集積梱包等の処理のために下流側へ搬送する容器搬送コンベヤラインにおいて、下流側でトラブル等により停止或いは減速した場合に、上流側での処理を停止しないでできるだけ運転継続するために、上流側と下流側の間の途中で前記容器を一時的にアキュームするアキューム装置を備えた容器搬送コンベヤが使用されている（特許文献１，２（図１）参照）。
【先行技術文献】
【特許文献】
【０００３】
【特許文献１】特開２０００−７２２３５号公報
【特許文献２】特開２０１０−１９５５３４号公報
【発明の概要】
【発明が解決しようとする課題】
【０００４】
前記特許文献１によれば、複数列の単列コンベヤから成るアキュームコンベヤ（アキューム装置）と、各単列コンベヤの下流側付近に設けたストッパと、各単列コンベヤに容器を導入する導入手段と、各単列コンベヤから容器を排出する排出手段と、各単列コンベヤ上の容器のアキュームの有無を検知する検知手段と、通常は上流側の搬送経路から下流側の搬送経路への連続的な容器搬送を行い、下流側の搬送経路で容器が滞留する場合には、順次導入手段を切換えて前記容器ストッパの作動により各単列コンベヤ上へ容器をアキュームし、下流側の滞留状態が解除されてこれに続く容器が前記単列コンベヤ上から排出されると、アキュームした順序と同じ順序で容器を排出するように前記導入手段、前記排出手段および前記ストッパを制御するとしている。
【０００５】
しかしながら、前記特許文献１の技術では、単列コンベヤの走行により搬送されてきた容器がストッパによって強制的に停止させられるため、後続の容器による強い圧力がかかって容器に損傷が生ずるという恐れがあり、アキューム量を多くしようとしても制約が生じてアキュームスペースを十分には取れず、効率良いアキューム装置とすることができないという恐れがある。また、各単列コンベヤから容器を排出する排出手段が単列コンベヤと下流側の搬送経路の間を選択的に接続する構成としているため、排出手段が長くなってスペース効率が悪いという恐れがあるとともに、排出手段の装置費が高価になってしまうという恐れがある。
【０００６】
また、前記特許文献２によれば、単列で容器を搬送する上流側コンベヤと複数列の単列コンベヤから成る複列搬送手段との間に上流側コンベヤと何れかの単列コンベヤとを選択的に接続する上流側接続手段を設け、前記複数列の単列コンベヤと単列で容器を搬送する下流側コンベヤとの間に何れかの単列コンベヤと下流側コンベヤとを選択的に接続する下流側接続手段を設けて、下流側コンベヤに設けた検知手段が容器の滞留を検知したときに、上流側接続手段を切換えるとともに、それまで容器を搬送していた単列コンベヤを停止させるとしている。
【０００７】
しかしながら、前記特許文献２の技術では、下流側コンベヤに設けた検知手段が容器の滞留を検知した際に、上流側接続手段を前記複列搬送手段の何れかの単列コンベヤへ振分けるに当って、前記上流側接続手段には複列搬送手段の列数に対応した連続的に振分け可能な同期接続機構が必要であるため装置コストが高いという恐れがあり、また、前記複列搬送手段の単列コンベヤの列数が多くなると、それだけ前記同期接続の移行速度も高速にする必要があり、容器の高速搬送および大容量アキュームが困難になるという恐れがある。
【０００８】
本発明は、上述の事情に鑑み、アキューム中の容器が後続の容器から受ける圧力が小さくて、アキューム容器の払い出しに当って先入れ先出しが可能で、また、上流側接続手段の前記複列搬送手段の何れかの単列コンベヤへの振分けの選択的接続に当って、上流側接続手段が複列搬送手段の列数に対して少ない振分け数で安定した容器振分け搬送ができ、したがって、容器の高速搬送および大容量アキュームが可能となり、下流側接続手段がコンパクトなアキューム装置を提供することを目的としている。
【課題を解決するための手段】
【０００９】
前記の課題に対し、本発明は以下の手段により解決を図る。
（１）第１の手段のアキューム装置は、容器を単列で搬送する上流側コンベヤと、容器を単列で搬送する単列コンベヤを複数列配置した複列搬送手段と、容器を単列で搬送する下流側コンベヤと、前記上流側コンベヤと前記複列搬送手段の何れかの単列コンベヤとを接続する上流側接続手段と、前記複列搬送手段の何れかの単列コンベヤと前記下流側コンベヤとを接続する下流側接続手段と、前記下流側コンベヤ上の容器滞留を検知する容器滞留検知手段と、該容器滞留検知手段の検知信号が入力されるとともに前記上流側接続手段および前記複列搬送手段の作動制御をする制御装置とを備え、前記複列搬送手段の何れかの単列コンベヤを介して上流側コンベヤから下流側コンベヤへ容器を搬送し、下流側コンベヤ上に容器が滞留したときには、上流側接続手段の作動により接続を振分けて、異なる単列コンベヤに容器を搬入してアキュームするアキューム装置において、前記複列搬送手段を、単列コンベヤの複数列配置をブロックとして複数ブロックに分けて構成し、前記上流側接続手段を、前記ブロック内で構成する各単列コンベヤへ振分ける第１の振分け手段と、上流コンベヤから前記第１の振分け手段に向けて振分ける第２の振分け手段によって選択的に接続するように構成し、前記第１の振分け手段を、容器受入れ中の単列コンベヤが属するブロックとは別のブロック側で、次に容器受入れ予定の単列コンベヤへ予め振分けの選択的接続をしておくように制御する構成としたことを特徴とする。
【００１０】
（２）第２の手段のアキューム装置は、前記第１の手段のアキューム装置において、前記第２の振分け手段の出口から前記第１の振分け手段の入口に向けて振分ける第３の振分け手段を設ける構成としたことを特徴とする。
【００１１】
（３）第３の手段のアキューム装置は、前記第１および第２の手段のアキューム装置において、下流側コンベヤ上に容器が滞留したときには、これまで容器を搬送していた単列コンベヤの最下流側を停止させ、前記第２の振分け手段をこれまで容器搬送していた振り向け先とは別の振り向け先に振分けて、上流側コンベヤから搬送されてくる容器が、前記別の振り向け先を経て前記既に振分けが完了している第１の振分け手段を経るようにして、これまで容器搬送していたブロックとは別のブロックの単列コンベヤへ搬入されるように制御する構成としたことを特徴とする。
【００１２】
（４）第４の手段のアキューム装置は、前記第３の手段のアキューム装置において、前記第２の振分け手段によりこれまで容器を搬送していた振り向け先とは別の振り向け先に振分けた後に、これまで容器を搬送していた前記上流側接続手段にある搬送容器をこれまで容器を搬送していた単列コンベヤへ全て搬入してから、該単列コンベヤの最上流側を停止するように容器カウンターを設けて制御する構成としたことを特徴とする。
【００１３】
（５）第５の手段のアキューム装置は、前記第１から第４の手段のアキューム装置において、前記下流側接続手段を、下流側接続用コンベヤと、前記各単列コンベヤの何れから前記下流側接続用コンベヤへ容器が搬送されてきても下流側コンベヤに容器を集合搬送できるようにした固定ガイドで構成したことを特徴とする。
【００１４】
（６）第６の手段のアキューム装置は、前記第１から第５の手段のアキューム装置において、下流側コンベヤ上の容器滞留が解除されたときには、それまで容器をアキュームしていた単列コンベヤの内、一番先にアキュームしていた単列コンベヤを起動して下流側接続手段経由で下流側コンベヤへ容器を排出し、前記単列コンベヤ上の容器が全て排出されたら以降順次先にアキュームしていた単列コンベヤから容器を排出するように制御する構成としたことを特徴とする。
【発明の効果】
【００１５】
請求項１に係わる本発明は、前記アキューム装置において、前記複列搬送手段を、単列コンベヤの複数列配置をブロックとして複数ブロックに分けて構成し、上流側接続手段を、前記ブロック内で構成する各単列コンベヤへ振分ける第１の振分け手段と、上流コンベヤから前記第１の振分け手段に向けて振分ける第２の振分け手段によって選択的に接続するように構成したことにより、容器が搬送されている単列コンベヤが属するブロック側とは別のブロック側で、次に容器受入れ予定の単列コンベヤへ予め振分けの選択的接続をしておくことができるとともに、下流側コンベヤが容器滞留となって別の単列コンベヤへ振分ける際に、第２の振分け手段は、最小で２列多くともブロックの数に相当する連続的振分けが可能であればよいので、従来技術のように複列搬送手段の列数に対応した多列の振分けを必要とせず、振分け列数を最小にすることができるので、安定した振分けが可能となるという効果を有する。
【００１６】
請求項２に係わる本発明は、請求項１に記載するアキューム装置において、第２の振分け手段の出口から第１の振分け手段の入口に向けて振分ける第３の振分け手段を設ける構成としたことにより、前記ブロックが３ブロック以上設けられた場合に、振分けがスムーズに行われるという効果を有する。
【００１７】
請求項３に係わる本発明は、請求項１および２に記載するアキューム装置において、下流側コンベヤ上に容器が滞留したときには、これまで容器を搬送していた単列コンベヤの最下流側を停止させ、第１の振分け手段をこれまで容器搬送していた導入コンベヤとは別の導入コンベヤに振分けて、上流側コンベヤから搬送されてくる容器が、別の導入コンベヤを経て既に振分けが完了している第２の振分け手段を経るようにして、これまで容器搬送していたブロックとは別のブロックの単列コンベヤへ搬入されるように制御する構成としたことにより、上流側接続手段が複列搬送手段の何れかの単列コンベヤへ振分けるに当って、安定した振分けが可能であり、したがって、容器の高速搬送および大容量アキュームが可能であり、装置の簡素化および制御の簡素化が可能になるという効果を有する。
【００１８】
請求項４に係わる本発明は、請求項３に記載するアキューム装置において、前記第２の振分け手段によりこれまで容器を搬送していた振り向け先とは別の振り向け先に振分けた後に、これまで容器を搬送していた前記上流側接続手段にある搬送容器をこれまで容器を搬送していた単列コンベヤへ全て搬入してから、該単列コンベヤの最上流側を停止するように容器カウンターを設けて制御する構成としたことにより、単列コンベヤに容器搬送を停止するストッパを設ける必要がないためアキューム中の容器が後続の容器から受ける圧力を小さくすることができるとともに、前記振分けに際して上流側接続手段にあったそれまで搬送していた容器が滞留することなく全て単列コンベヤにアキュームされ、先入れ先出しの原則が乱れないという効果を有する。
【００１９】
請求項５に係わる本発明は、請求項１から４に記載するアキューム装置において、前記下流側接続手段を、下流側接続用コンベヤと、前記各単列コンベヤの何れから前記下流側接続用コンベヤへ容器が搬送されてきても下流側コンベヤに容器を集合搬送できるようにした固定ガイドで構成したことにより、従来のような選択的接続のための装置が不要となって装置が簡素化され、アキューム装置の設置スペースを小さくできてスペース効率がよくなるとともに、下流側接続手段の装置費を低減できるという効果を有する。
【００２０】
請求項６に記載する本発明は、請求項１から５に記載するアキューム装置において、下流側コンベヤ上の容器滞留が解除されたときには、それまで容器をアキュームしていた単列コンベヤの内、一番先にアキュームしていた単列コンベヤを起動して下流側接続手段経由で下流側コンベヤへ容器を排出し、前記単列コンベヤ上の容器が全て排出されたら以降順次先にアキュームしていた単列コンベヤから容器を排出するように制御する構成としたことにより、アキューム中の容器が先入れ先出しの順序で後続の容器から受ける圧力が小さい状態で排出できるとともに、下流側接続手段の簡素化に繋げることができるという効果を有する。
【図面の簡単な説明】
【００２１】
【図１】本発明の第１の実施の形態に係わるアキューム装置の平面図で、一部切断した摸式図としてある。
【図２】本発明の第２の実施の形態に係わるアキューム装置の平面図で、図１に相当する図であり、一部省略してある。
【発明を実施するための形態】
【００２２】
以下、この発明の実施の形態につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００２３】
（本発明の第１の実施の形態）
本発明の第１の実施の形態を図１に基づいて説明する。
図１は、本発明の第１の実施の形態に係わるアキューム装置の平面図で、一部切断した摸式図としてある。
図１において、本発明の第１の実施の形態に係わるアキューム装置１は、矢印Ｆ１の方向から容器Ｐを単列で搬送する上流側コンベヤ３と、後述する第１の振分け手段１５と第２の振分け手段１４から成る上流側接続手段４と、後述する複数列（図示では説明の便宜上複数列を４列としてある。以下同じ）の単列コンベヤＡ１からＡ４を並列配置したブロック７Ａと複数列の単列コンベヤＢ１からＢ４を並列配置したブロック７Ｂの２ブロックから成る複列搬送手段７と、後述する前記複列搬送手段７の下流側に設けた下流側接続コンベヤ８Ａ並びに下流側接続コンベヤ８Ｂと前記複列搬送手段７の各単列コンベヤの何れから容器Ｐが排出されても集合搬送できる固定ガイド８ＡＧ並びに固定ガイド８ＢＧから成る下流側接続手段８と、前記下流側接続手段８によって集合搬送されてきた容器Ｐの移送を受けて矢印Ｆ２の方向へ容器Ｐを単列で搬送する下流側コンベヤ９並びに該下流側コンベヤ９上の容器Ｐの滞留を検知する容器滞留検知手段９Ｓと、該容器滞留検知手段９Ｓの検知信号が入力されるとともに前記上流側接続手段４および前記複列搬送手段７の作動制御をする制御装置１０によって主に構成されている。
【００２４】
前記複列搬送手段７を詳しく説明すると、最上流側のコンベヤＡ４１、コンベヤＡ４２、コンベヤＡ４３から最下流側のコンベヤＡ４Ｎまでを直列的に接続した単列コンベヤＡ４と、同様に最上流側のコンベヤＡ３１、コンベヤＡ３２から最下流側のコンベヤＡ３Ｎまでを直列的に接続した単列コンベヤＡ３と、同様に最上流側のコンベヤＡ２１、コンベヤＡ２２から最下流側のコンベヤＡ２Ｎまでを直列的に接続した単列コンベヤＡ２と、同様に最上流側のコンベヤＡ１１、コンベヤＡ１２から最下流側のコンベヤＡ１Ｎまでを直列的に接続した単列コンベヤＡ１を並列配置したブロック７Ａ、並びに、前記ブロック７Ａと同様に、最上流側のコンベヤＢ４１から最下流側のコンベヤＢ４Ｎまでを直列的に接続した単列コンベヤＢ４と、最上流側のコンベヤＢ３１から最下流側のコンベヤＢ３Ｎまでを直列的に接続した単列コンベヤＢ３と、最上流側のコンベヤＢ２１から最下流側のコンベヤＢ２Ｎまでを直列的に接続した単列コンベヤＢ２と、最上流側のコンベヤＢ１１から最下流側のコンベヤＢ１Ｎまでを直列的に接続した単列コンベヤＢ１を並列配置したブロック７Ｂによって構成されている。
【００２５】
なお、前記単列コンベヤＡ４は、前記コンベヤＡ４１の上流側に容器Ｐの通過状況を検知する容器カウンターＡ４Ｓを備えているとともに、前記コンベヤＡ４１からコンベヤＡ４Ｎのそれぞれに図示しない駆動装置を備えていて、制御装置１０からの指令によって駆動或いは容器Ｐの満杯による停止等の制御がなされるようになっており、単列コンベヤＡ３、単列コンベヤＡ２、単列コンベヤＡ１、単列コンベヤＢ４、単列コンベヤＢ３、単列コンベヤＢ２、単列コンベヤＢ１も同様となっているが、重複する説明となるので、図示および詳細な説明は省略する。
【００２６】
また、単列コンベヤＡ４において、容器Ｐは、前記コンベヤＡ４１からコンベヤＡ４Ｎ上を図示しないガイドにガイドされながら搬送され、前記コンベヤＡ４１から前記コンベヤＡ４２へはガイドＡ４１Ｇにガイドされ、同様に、前記コンベヤＡ４２から前記コンベヤＡ４３へはガイドＡ４２Ｇにガイドされて移送されるようになっており、以降コンベヤＡ４Ｎまで同様になっている。さらに、単列コンベヤＡ３、単列コンベヤＡ２、単列コンベヤＡ１、単列コンベヤＢ４、単列コンベヤＢ３、単列コンベヤＢ２、単列コンベヤＢ１も同様となっているが、重複する説明となるので、図示および詳細な説明は省略する。
【００２７】
前記上流側接続手段４を詳しく説明すると、容器Ｐを、上流側コンベヤ３からガイド１１Ｇのガイドでコンベヤ１２へ移送し、前記コンベヤ１２から前記２つのブロック７Ａとブロック７Ｂに対応する２列の導入コンベヤ１３Ａと導入コンベヤ１３Ｂに振分けをする第２の振分け手段１４と、前記導入コンベヤ１３Ａおよび導入コンベヤ１３Ｂのそれぞれから、前記ブロック７Ａおよびブロック７Ｂのそれぞれ単列コンベヤＡ１からＡ４の何れかおよび単列コンベヤＢ１からＢ４の何れかへ振分けをする第１の振分け手段１５によって構成されている。
【００２８】
前記第２の振分け手段１４は、前記コンベヤ１２の両側上方で容器Ｐの搬送と干渉しない位置に設けた１対の支点軸１４Ｓと一体の１対の振分けガイド１４Ｇが備えられていて、前記制御装置１０からの指令によって、コンベヤ１２上の搬送容器Ｐを、図示実線の矢印ＦＡのように前記導入コンベヤ１３Ａ側へ或いは図示二点鎖線の矢印ＦＢのように前記導入コンベヤ１３Ｂ側へ振分けをするように前記支点軸１４Ｓを支点として前記振分けガイド１４Ｇが揺動の作動をする構成となっている。
ここで、コンベヤ１２にはコンベヤ１２上を搬送される容器Ｐの通過を検知する容器通過センサ４Ｓが設けられていて、容器Ｐの通過検知信号が制御装置１０に送られるようになっており、前記振分けガイド１４Ｇの作動に当っては、コンベヤ１２上の搬送容器Ｐの通過タイミングに適合して作動し、前記振分けガイド１４Ｇと容器Ｐが干渉しないようになっている。
なお、前記容器通過センサ４Ｓは制御装置１０によって容器カウンターの機能も有するように信号処理をされている。
【００２９】
前記第１の振分け手段１５は、導入コンベヤ１３Ａおよび導入コンベヤ１３Ｂの下流側の容器Ｐの搬送と干渉しない位置に設けられたそれぞれ図示支点軸１５ＡＳおよび支点軸１５ＢＳに一体の振分けガイド１５ＡＧおよび振分けガイド１５ＢＧが備えられていて、前記制御装置１０からの指令によって、導入コンベヤ１３Ａ或いは導入コンベヤ１３Ｂ上の搬送容器Ｐを、ブロック７Ａの単列コンベヤＡ１からＡ４の何れか、或いは、ブロック７Ｂの単列コンベヤＢ１からＢ４の何れかに振分けをするように、前記支点軸１５ＡＳ或いは前記支点軸１５ＢＳを支点として図示二点鎖線の軌跡４Ｗのように揺動する構成となっている。
【００３０】
なお、前記第１の振分け手段１５においては、前記導入コンベヤ１３Ａから前記ブロック７Ａの単列コンベヤＡ１からＡ４の何れかへの搬送容器Ｐの振分けに際して、搬送容器Ｐが前記振分けガイド１５ＡＧに沿って滑らかに搬送されるように、導入コンベヤ１３Ａと単列コンベヤＡ１１の間に並列してコンベヤＡ０１が、単列コンベヤＡ１１と単列コンベヤＡ２１の間に並列してコンベヤＡ０２が、単列コンベヤＡ２１と単列コンベヤＡ３１の間に並列してコンベヤＡ０３が、単列コンベヤＡ３１と単列コンベヤＡ４１の間に並列してコンベヤＡ０４が配置され、図示しない駆動装置によって駆動されるように構成されている。
同様に、前記導入コンベヤ１３Ｂから前記ブロック７Ｂの単列コンベヤＢ１からＢ４の何れかへの搬送容器Ｐの振分けに際して、搬送容器Ｐが前記ガイド１５ＢＧに沿って滑らかに搬送されるように構成されているが、重複する内容となるので、詳細な説明は省略する。
【００３１】
前記下流側接続手段８の下流側接続コンベヤ８Ａおよび８Ｂを詳しく説明すると、下流側接続コンベヤ８Ａは、前記複列搬送手段７の単列コンベヤＡ４の最下流側コンベヤＡ４Ｎの下流側で接続したコンベヤＡ８４、以下同様に、コンベヤＡ３Ｎの下流側で接続したコンベヤＡ８３、コンベヤＡ２Ｎの下流側で接続したコンベヤＡ８２、コンベヤＡ１Ｎの下流側で接続したコンベヤＡ８１が設けられており、下流側接続コンベヤ８Ｂは、コンベヤＢ４Ｎの下流側で接続したコンベヤＢ８４、コンベヤＢ３Ｎの下流側で接続したコンベヤＢ８３、コンベヤＢ２Ｎの下流側で接続したコンベヤＢ８２、コンベヤＢ１Ｎの下流側で接続したコンベヤＢ８１が設けられている。
【００３２】
また、前記下流側接続手段８には、コンベヤＡ８４、コンベヤＡ８３、コンベヤＡ８２、コンベヤＡ８１から後述するように前記下流側コンベヤ９へ搬送容器Ｐを集合搬送する固定ガイド８ＡＧ、および、コンベヤＢ８４、コンベヤＢ８３、コンベヤＢ８２、コンベヤＢ８１から後述するように前記下流側コンベヤ９へ搬送容器Ｐを集合搬送する固定ガイド８ＢＧが設けられている。
【００３３】
さらに、下流側接続コンベヤ８Ａにおいては、前記コンベヤＡ８１、コンベヤＡ８２、コンベヤＡ８３、コンベヤＡ８４から前記下流側コンベヤ９への搬送容器Ｐの集合搬送に際して、搬送容器Ｐが前記固定ガイド８ＡＧに沿って滑らかに搬送されるように、下流側コンベヤ９とコンベヤＡ８１の間に並列してコンベヤＡ８１Ａが、単列コンベヤＡ８１とコンベヤＡ８２の間に並列してコンベヤＡ８２Ａが、単列コンベヤＡ８２と単列コンベヤＡ８３の間に並列してコンベヤＡ８３Ａが、単列コンベヤＡ８３と単列コンベヤＡ８４の間に並列してコンベヤＡ８４Ａが配置されている。
【００３４】
同様に、下流側接続コンベヤ８Ｂにおいては、前記コンベヤＢ８１、コンベヤＢ８２、コンベヤＢ８３、コンベヤＢ８４から前記下流側コンベヤ９への搬送容器Ｐの集合搬送に際して、搬送容器Ｐが前記固定ガイド８ＢＧに沿って滑らかに搬送されるように、下流側コンベヤ９とコンベヤＢ８１の間に並列してコンベヤＢ８１Ａが、単列コンベヤＢ８１とコンベヤＢ８２の間に並列してコンベヤＢ８２Ａが、単列コンベヤＢ８２と単列コンベヤＢ８３の間に並列してコンベヤＢ８３Ａが、単列コンベヤＢ８３と単列コンベヤＢ８４の間に並列してコンベヤＢ８４Ａが配置されている。
【００３５】
また、搬送容器Ｐは、前記コンベヤＡ８１Ａから下流側コンベヤ９へガイド９ＡＧにガイドされて移送されるようになっており、同様に、前記コンベヤＢ８１Ａから下流側コンベヤ９へガイド９ＢＧにガイドされて移送されるようになっている。
さらに、前記単列コンベヤＡ４を例にして説明すると、搬送容器ＰはコンベヤＡ４ＮからコンベヤＡ８４へはガイドＡ４ＮＧにガイドされて移送されるようになっており、単列コンベヤＡ１からＡ３の場合も、さらに、単列コンベヤＢ１からＢ４の場合も同様になっているが、重複する内容となるので、図示および詳細な説明を省略する。
【００３６】
次に、本発明の第１の実施の形態に係わるアキューム装置１の作用を説明する。
上流側コンベヤ３によって矢印Ｆ１の方向から単列で搬送されてくる容器Ｐは、ガイド１１Ｇにガイドされてコンベヤ１２へ搬送され、コンベヤ１２から第２の振分け手段１４により導入コンベヤ１３Ａか導入コンベヤ１３Ｂの何れかに振分けをされるが、ここでは説明の便宜上、定常搬送運転時にブロック７Ａに対応する導入コンベヤ１３Ａ側に振分けされているとして説明する。
導入コンベヤ１３Ａ側に振分けをされた搬送容器Ｐは、制御装置１０からの指令によって予め搬送接続されているブロック７Ａの単列コンベヤＡ１からＡ４の何れかに第１の振分け手段１５によって振分けをされて移送されるが、説明の便宜上、ここでは、図示実線で示すように、単列コンベヤＡ４に振分け接続されるとして説明する。
【００３７】
前記導入コンベヤ１３Ａ上を搬送されてきた容器Ｐは、コンベヤＡ０１、コンベヤＡ１１、コンベヤＡ０２、コンベヤＡ２１、コンベヤＡ０３、コンベヤＡ３１、コンベヤＡ０４の搬送力の振分けガイド１５ＡＧに沿った分力が作用することにより振分けガイド１５ＡＧに沿ってコンベヤＡ４１へ振り向けられる。
コンベヤＡ４１に移送された容器Ｐは、コンベヤＡ４１からコンベヤＡ４２、以降、最下流側コンベヤＡ４Ｎへ搬送されてガイドＡ４ＮＧを経てコンベヤＡ８４に移送される。
【００３８】
コンベヤＡ８４上を搬送される容器Ｐは、コンベヤＡ８４Ａ、コンベヤＡ８３、コンベヤＡ８３Ａ、コンベヤＡ８２、コンベヤＡ８２Ａ、コンベヤＡ８１の搬送力の固定ガイド８ＡＧに沿った分力が作用することにより固定ガイド８ＡＧに沿ってコンベヤＡ８１Ａへ移送され、次いでガイド９ＡＧにガイドされながら下流側コンベヤ９へ移送されて図示矢印Ｆ２の方向の下流側へ搬送されていく。
【００３９】
ここで、前記説明の単列コンベヤＡ４での容器Ｐの受入れ（搬送）中に、ブロック７Ｂの第１の振分け手段１５においては、容器滞留検知手段９Ｓによって下流側コンベヤ９上の容器Ｐの滞留を検知した時の上流側コンベヤ３から搬入される容器Ｐのアキュームに備えて、制御装置１０からの指令により、振分けガイド１５ＢＧをアキューム対象の単列コンベヤＢ２（単列コンベヤＢ１からＢ４の何れか一つであるが、ここでは、説明の便宜上、単列コンベヤＢ２が予定されているとする）に対応する位置へ揺動（振分けの選択的接続）をさせておく。
【００４０】
下流側コンベヤ９でトラブル等により容器Ｐの搬送が停止或いは減速して、容器滞留検知手段９Ｓによって下流側コンベヤ９上の容器Ｐの滞留を検知した時には、制御装置１０からの指令により、前記単列コンベヤＡ４の最下流側コンベヤＡ４Ｎの駆動が停止され、また、第２の振分け手段１４を導入コンベヤ１３Ｂ側へ搬送容器Ｐの振分けをするように振分けガイド１４Ｇが作動する。
【００４１】
なお、これまで容器Ｐを搬送していた前記単列コンベヤＡ４は、前記第２の振分け手段１４が導入コンベヤ１３Ｂ側へ振分けした後、それまで導入コンベヤ１３Ａ側を搬送されていた上流側接続手段４上の容器Ｐの全てが前記単列コンベヤＡ４１に搬入された時点で、容器通過センサ４Ｓと容器カウンターＡ４Ｓの容器カウント信号を基に制御装置１０によってコンベヤＡ４の最上流側コンベヤＡ４１が停止する。
これにより、前記上流側接続手段４上のこれまで搬送されていた容器Ｐは前記上流側接続手段４上に滞留することはなく、前記単列コンベヤＡ４１に全て搬入され、後述する排出の際に先入れ先出しの原則を破ることはない。
【００４２】
前記振分けガイド１４Ｇの導入コンベヤ１３Ｂ側への作動に伴い、上流側コンベヤ３からコンベヤ１２へ搬送されてくる容器Ｐが、導入コンベヤ１３Ｂへ移送され、前記導入コンベヤ１３Ｂから搬送されてくる容器Ｐは、コンベヤＢ０１、コンベヤＢ１１、コンベヤＢ０２の搬送力の前記振分け揺動済の振分けガイド１５ＢＧに沿った分力が作用することにより振分けガイド１５ＢＧに沿ってコンベヤＢ２１へ振分けをされる。
【００４３】
コンベヤＢ２１に移送された容器Ｐは、先に説明したコンベヤＡ４１での搬送と同様に、最下流側コンベヤＢ２Ｎへと搬送されるが、コンベヤＢ２Ｎに備えられた図示しない容器カウンターの容器カウントによって、制御装置１０からの指令により、先頭の容器ＰがコンベヤＢ２Ｎから下流側へ搬出されないタイミングでコンベヤＢ２Ｎの駆動が停止され、以降、コンベヤＢ２Ｎの上流側のコンベヤが、図示しない容器カウンターの容器カウントによって制御装置１０が満杯と判断したときに駆動停止され、順次コンベヤＢ２の上流側のコンベヤへ容器Ｐがアキュームされていく。
【００４４】
ここで、前記説明の単列コンベヤＢ２での容器Ｐのアキューム搬送中に、ブロック７Ａの第１の振分け手段１５においては、下流側コンベヤ９上の容器滞留検出継続によるアキューム継続の場合の次のアキューム対象の単列コンベヤ選定に備えて、制御装置１０からの指令により、振分けガイド１５ＡＧを次にアキューム予定の単列コンベヤＡ２（単列コンベヤＡ１からＡ３の何れか一つであるが、ここでは、説明の便宜上、単列コンベヤＡ２として説明する）に対応する位置へ揺動させておく。
【００４５】
前記単列コンベヤＢ２での容器Ｐのアキュームにより、コンベヤＢ２１が図示しない容器カウンターの容器カウントによって制御装置１０により満杯と判断されたときに、コンベヤＢ２１が駆動停止されるとともに、第２の振分け手段１４が導入コンベヤ１３Ａ側へ搬送容器Ｐを振分けするように振分けガイド１４Ｇが作動する。
なお、コンベヤＢ２１の駆動停止に際しては、前記コンベヤＡ４１の駆動停止の場合で説明したと同様に、それまで導入コンベヤ１３Ｂ側を搬送されていた上流側接続手段４上の容器Ｐの全てが前記単列コンベヤＢ２１に搬入された時点で、容器通過センサ４Ｓと図示しない容器カウンターの容器カウント信号を基に制御装置１０によってコンベヤＢ２の最上流側コンベヤＢ２１が停止する。
【００４６】
前記振分けガイド１４Ｇの導入コンベヤ１３Ａ側への作動に伴い、下流側コンベヤ９上の容器滞留検知が継続している時は、上流側コンベヤ３からコンベヤ１２へ搬送されてくる容器Ｐが、導入コンベヤ１３Ａへ移送され、前記導入コンベヤ１３Ａ上を搬送されてきた容器Ｐは、コンベヤＡ０１、コンベヤＡ１１、コンベヤＡ０２の搬送力の前記振分け揺動済の振分けガイドＡ１５Ｇに沿った分力が作用することにより振分けガイド１５ＡＧに沿って単列コンベヤＡ２へ振り向けられる。
【００４７】
以降、下流側コンベヤ９上の容器滞留検知が継続している時は、ブロック７Ａからブロック７Ｂの空いている何れかの単列コンベヤへ、さらには、ブロック７Ｂからブロック７Ａの空いている何れかの単列コンベヤへと容器Ｐのアキュームがなされるように制御される。
即ち、前記第１の振分け手段１５は、容器Ｐを受入れ中のブロックとは別のブロック側で次の振分け先の単列コンベヤへの振分けをしておくことによって、安定した振分け作動を行うことができる。
【００４８】
容器滞留検知手段９Ｓの検知信号が滞留解除となった時には、制御装置１０からの指令による所謂先入れ先出しの順序によって、容器Ｐのアキュームを最初に行っていた単列コンベヤＡ４の最下流側コンベヤＡ４Ｎの起動をきっかけとして、単列コンベヤＡ４の各コンベヤが順次駆動されて単列コンベヤＡ４上の容器ＰはコンベヤＡ４ＮからガイドＡ４ＮＧにガイドされてコンベヤＡ８４へ移送され、下流側接続コンベヤＡ８上を固定ガイド８ＡＧにガイドされながらコンベヤＡ８１を経由し、ガイド９ＡＧにガイドされながら下流側コンベヤ９に移送され、下流側コンベヤ９上を矢印Ｆ２の方向へ搬送されていく。
【００４９】
前記単列コンベヤＡ４にアキュームされていた容器Ｐの払い出しが終了したら、制御装置１０からの指令によって次のアキュームをしていた単列コンベヤＢ２の最下流側コンベヤＢ２Ｎの起動をきっかけとして、単列コンベヤＢ２の各コンベヤが順次駆動されて単列コンベヤＢ２上の容器Ｐが払い出され、下流側接続コンベヤ８Ｂ上をガイド９ＢＧ経由して下流側コンベヤ９に移送されて、下流側コンベヤ９上を矢印Ｆ２の方向へ搬送されていく。
前記単列コンベヤＢ２にアキュームされていた容器Ｐの払い出しが終了したら、制御装置１０からの指令によって次のアキュームをしていた単列コンベヤＡ２が駆動されるというように順次複列搬送手段７にアキュームされていた容器Ｐが先入れ先出しで払い出されていく。
【００５０】
（本発明の第２の実施の形態）
次に、本発明の第２の実施の形態について図２に基づいて説明する。
図２は、本発明の第２の実施の形態に係わるアキューム装置の平面図で、図１に相当する図であり、一部省略してある。
図２において、図１と同じ構造のものは同じ記号を付してあり、重複する説明は省略する。
図２において、本発明の第２の実施の形態に係わるアキューム装置２は、上流側接続手段５が、第２の振分け手段１４と後述する第１の振分け手段２５と、前記第２の振分け手段１４の出口から前記第１の振分け手段２５の入口に向けて振分ける後述する第３の振分け手段２４により主に構成され、複列搬送手段７７が後述するブロック７Ｐ、ブロック７Ｑ、ブロック７Ｒの３ブロックにより主に構成されて、前記上流側接続手段５および前記複列搬送手段７７の作動制御は、下流側コンベヤ９上の容器Ｐの滞留を検知する容器滞留検知手段９Ｓの検知信号等の入力に基づいて制御装置２０によってなされるようになっている。
【００５１】
前記複列搬送手段７７は、最上流側コンベヤＰ３１、コンベヤＰ３２から図示しない最下流側コンベヤまでを直列的に接続した単列コンベヤＰ３と、同様に最上流側コンベヤＰ２１、コンベヤＰ２２から図示しない最下流側コンベヤまでを直列的に接続した単列コンベヤＰ２と、同様に最上流側コンベヤＰ１１、コンベヤＰ１２から最下流側コンベヤまでを直列的に接続した単列コンベヤＰ１を並列配置したブロック７Ｐ、並びに、前記ブロック７Ｐと同様に、最上流側コンベヤＱ３１から図示しない最下流側コンベヤまでを直列的に接続した単列コンベヤＱ３と、最上流側コンベヤＱ２１から図示しない最下流側コンベヤまでを直列的に接続した単列コンベヤＱ２と、最上流側コンベヤＱ１１から図示しない最下流側コンベヤまでを直列的に接続した単列コンベヤＱ１を並列配置したブロック７Ｑ、および、前記ブロック７Ｐ並びに７Ｑと同様に、最上流側コンベヤＲ３１から図示しない最下流側コンベヤまでを直列的に接続した単列コンベヤＲ３と、最上流側コンベヤＲ２１から図示しない最下流側コンベヤまでを直列的に接続した単列コンベヤＲ２と、最上流側コンベヤＲ１１から図示しない最下流側コンベヤまでを直列的に接続した単列コンベヤＲ１を並列配置したブロック７Ｒの３ブロックによって構成されている。（ここでは各ブロックの複数列配置のコンベヤ数を、説明の便宜上３列としている。）
【００５２】
なお、前記単列コンベヤＰ３は、前記コンベヤＰ３１の上流側に容器Ｐの通過状況を検知する容器カウンターＰ３Ｓを備えているとともに、前記コンベヤＰ３１から図示しない最下流側コンベヤのそれぞれに図示しない駆動装置を備えていて、制御装置２０からの指令によって駆動或いは容器Ｐの満杯による停止等の制御がなされるようになっており、単列コンベヤＰ２、単列コンベヤＰ１、単列コンベヤＱ３、単列コンベヤＱ２、単列コンベヤＱ１、単列コンベヤＲ３、単列コンベヤＲ２、単列コンベヤＲ１も同様となっているが、重複する説明となるので、図示および詳細な説明は省略する。
【００５３】
また、単列コンベヤＰ３において、容器Ｐは、前記コンベヤＰ３１から図示しない最下流側コンベヤまでをガイドにガイドされながら搬送され、前記コンベヤＰ３１から前記コンベヤＰ３２へはガイドＰ３１Ｇにガイドされ、同様に、前記コンベヤＰ３２から下流側のコンベヤへは図示しないガイドにガイドされて搬送されるようになっており、以降図示しない最下流側コンベヤまで同様になっている。さらに、単列コンベヤＰ２、単列コンベヤＰ１、単列コンベヤＱ３、単列コンベヤＱ２、単列コンベヤＱ１、単列コンベヤＲ３、単列コンベヤＲ２、単列コンベヤＲ１も同様となっているが、重複する説明となるので、図示および詳細な説明は省略する。
【００５４】
前記第２の振分け手段１４は、コンベヤ１２の両側上方で容器Ｐの搬送と干渉しない位置に設けた１対の支点軸１４Ｓと一体の１対の振分けガイド１４Ｇが備えられていて、前記制御装置２０からの指令によって、コンベヤ１２上の搬送容器Ｐを、図示実線の矢印ＦＡのように導入コンベヤ２３Ａ側へ或いは図示二点鎖線の矢印ＦＢのように導入コンベヤ２３Ｂ側へ振分けをするように前記支点軸１４Ｓを支点として前記振分けガイド１４Ｇが揺動の作動をする構成となっている。
ここで、コンベヤ１２にはコンベヤ１２上を搬送される容器Ｐの通過を検知する容器通過センサ４Ｓが設けられていて、容器Ｐの通過検知信号が制御装置２０に送られるようになっており、前記振分けガイド１４Ｇの作動に当っては、コンベヤ１２上の搬送容器Ｐの通過タイミングに適合して作動し、前記振分けガイド１４Ｇと容器Ｐが干渉しないようになっている。
なお、前記容器通過センサ４Ｓは制御装置２０によって容器カウンターの機能も有するように信号処理をされている。
【００５５】
前記第３の振分け手段２４は、導入コンベヤ２３Ａの両側上方で容器Ｐの搬送と干渉しない位置に設けた１対の支点軸２４Ｓと一体の１対の振分けガイド２４Ｇが備えられていて、前記制御装置２０からの指令によって、導入コンベヤ２３Ａ上の搬送容器Ｐを、図示実線の矢印ＦＰのように前記ブロック７Ｐ側のコンベヤＰ０１へ或いは図示二点鎖線の矢印ＦＱのように前記ブロック７Ｑ側のコンベヤＱ０１へ振分けをするように前記支点軸２４Ｓを支点として前記振分けガイド２４Ｇが揺動の作動をする構成となっている。
ここで、導入コンベヤ２３Ａには導入コンベヤ２３Ａ上を搬送される容器Ｐの通過を検知する容器通過センサ４４Ｓが設けられていて、容器Ｐの通過検知信号が制御装置２０に送られるようになっており、前記振分けガイド２４Ｇの作動に当っては、導入コンベヤ２３Ａ上の搬送容器Ｐの通過タイミングに適合して作動し、前記振分けガイド２４Ｇと容器Ｐが干渉しないようになっている。
なお、前記容器通過センサ４４Ｓは制御装置２０によって容器カウンターの機能も有するように信号処理をされている。
【００５６】
前記第１の振分け手段２５は、コンベヤＰ０１、コンベヤＱ０１および導入コンベヤ２３Ｂの容器Ｐの搬送と干渉しない位置に設けられたそれぞれ図示支点軸２５ＰＳ、支点軸２５ＱＳおよび支点軸２５ＲＳに一体の振分けガイド２５ＰＧ、振分けガイド２５ＱＧおよび振分けガイド２５ＲＧが備えられていて、前記制御装置２０からの指令によって、コンベヤＰ０１、コンベヤＱ０１および導入コンベヤ２３Ｂ上の搬送容器Ｐを、ブロック７Ｐの単列コンベヤＰ１からＰ３の何れか、ブロック７Ｑの単列コンベヤＱ１からＱ３の何れか、或いは、ブロック７Ｒの単列コンベヤＲ１からＲ３の何れかに振分けをするように、前記支点軸２５ＰＳ、支点軸２５ＱＳ或いは支点軸２５ＲＳを支点として図示二点鎖線の軌跡５Ｗのように揺動する構成となっている。
【００５７】
なお、前記第１の振分け手段２５においては、前記コンベヤＰ０１から前記ブロック７Ｐの単列コンベヤＰ１からＰ３の何れかへの搬送容器Ｐの振分けに際して、搬送容器Ｐが前記振分けガイド２５ＰＧに沿って滑らかに搬送されるように、単列コンベヤＰ１１と単列コンベヤＰ２１の間に並列してコンベヤＰ０２が、単列コンベヤＰ２１と単列コンベヤＰ３１の間に並列してコンベヤＰ０３が配置され、図示しない駆動装置によって駆動されるように構成されている。
同様に、前記コンベヤＱ０１から前記ブロック７Ｑの単列コンベヤＱ１からＱ３の何れかへの搬送容器Ｐの振分けに際して、搬送容器Ｐが前記ガイド２５ＱＧに沿って滑らかに搬送されるように構成されており、また、導入コンベヤ２３Ｂから前記ブロック７Ｒの単列コンベヤＲ１からＲ３の何れかへの搬送容器Ｐの振分けに際して、搬送容器Ｐが前記ガイド２５ＲＧに沿って滑らかに搬送されるように構成されているが、重複する内容となるので、詳細な説明は省略する。
【００５８】
前記複列搬送手段７７の下流側には、図示しない下流側接続手段、下流側コンベヤ９が設けられており、下流側コンベヤ９には下流側コンベヤ９上の容器Ｐの滞留を検知する容器滞留検知手段９Ｓが設けられて、該容器滞留検知手段９Ｓの検知信号が制御装置２０に入力され、前記上流側接続手段５および前記複列搬送手段７７の作動制御をするようになっているが、前述した本発明の第１の実施の形態の説明と類似した内容となるので、下流側接続手段の図示および詳細説明を省略する。
【００５９】
次に、本発明の第２の実施の形態に係わるアキューム装置２の作用を説明する。
上流側コンベヤ３によって矢印Ｆ１の方向から単列で搬送されてくる容器Ｐは、ガイド１１Ｇにガイドされてコンベヤ１２へ搬送され、コンベヤ１２から第２の振分け手段１４により導入コンベヤ２３Ａか導入コンベヤ２３Ｂの何れかに振分けをされるが、ここでは説明の便宜上、定常搬送運転時に導入コンベヤ２３Ａ側に振分けされているとして説明する。
導入コンベヤ２３Ａ側に振分けをされた搬送容器Ｐは、さらに第３の振分け手段２４によりコンベヤＰ０１かコンベヤＱ０１の何れかに振分けをされるが、ここでは説明の便宜上、定常搬送運転時にコンベヤＰ０１側に振分けされているとして説明する。
【００６０】
コンベヤＰ０１側に振分けをされた搬送容器Ｐは、制御装置２０からの指令によって予め搬送接続されているブロック７Ｐの単列コンベヤＰ１からＰ３の何れかに第１の振分け手段２５によって振分けされて搬送されるが、説明の便宜上、ここでは、図示のように、単列コンベヤＰ３に振分け接続されているとして説明する。
【００６１】
前記コンベヤＰ０１上を搬送されてきた容器Ｐは、コンベヤＰ１１、コンベヤＰ０２、コンベヤＰ２１、コンベヤＰ０３の搬送力の振分けガイド２５ＰＧに沿った分力が作用することにより振分けガイド２５ＰＧに沿ってコンベヤＰ３１へ振り向けられる。
コンベヤＰ３１に移送された容器Ｐは、コンベヤＰ３１からコンベヤＰ３２、以降、図示しない最下流側コンベヤへと搬送されていく。
【００６２】
ここで、前記説明の単列コンベヤＰ３での容器Ｐの受入れ（搬送）中に、ブロック７Ｒの第１の振分け手段２５においては、容器滞留検知手段９Ｓによって下流側コンベヤ９上の容器Ｐの滞留を検知した時の上流側コンベヤ３から搬入される容器Ｐのアキュームに備えて、制御装置２０からの指令により、振分けガイド２５ＲＧをアキューム対象の単列コンベヤＱ２に対応する位置へ揺動（振分けの選択的接続）をさせておく。
前記単列コンベヤＰ３での容器Ｐの受入れ（搬送）中に予め行うブロック７Ｐ以外のブロックでの前記振分けの選択的接続は、ブロック７Ｑとブロック７Ｒの何れかになるが、ここでは説明の便宜上ブロック７Ｑとしてあり、また、ブロック７Ｑでも単列コンベヤＱ１、単列コンベヤＱ２、単列コンベヤＱ３の何れかになるが、ここでは説明の便宜上単列コンベヤＱ２として説明する。
【００６３】
下流側コンベヤ９でトラブル等により容器Ｐの搬送が停止或いは減速して、容器滞留検知手段９Ｓによって下流側コンベヤ９上の容器Ｐの滞留を検知した時には、制御装置２０からの指令により、前記単列コンベヤＰ３の図示しない最下流側コンベヤの駆動が停止され、また、第２の振分け手段１４を導入コンベヤ２３Ｂ側へ搬送容器Ｐの振分けをするように振分けガイド１４Ｇが作動する等、前述した本発明の第１の実施の形態の場合と類似した作動をするが、重複内容となるので、詳細な説明は省略する。
【００６４】
前記説明のように、本発明の第２の実施の形態では、複列搬送手段７７を３ブロックとした場合について説明したが、３ブロックの場合には、上流側接続手段５を前記第２の振分け手段１４の出口から前記第１の振分け手段２５の入口に向けて振分ける第３の振分け手段２４を設けることにより、上流側の選択的接続をスムーズに行うことができる。
また、前記ブロック数はアキューム目的によっては４以上としてもよい。ブロック数が４以上の場合には前記第３の振分け手段を、さらに複数個から成る振分け手段としてもよく、何れにおいても本発明による複列搬送手段の複数ブロック設置によって一方のブロックで容器受入れ中の間に、他方のブロックで次の容器受入れを予定している単列コンベヤへの振分けをしておくという趣旨においては、本発明の第１の形態で説明した内容と同様であり、重複説明となるので、詳細な説明は省略する。
【００６５】
また、本発明の第１の実施の形態の前記単列コンベヤＡ４或いは本発明の第２の実施の形態の前記単列コンベヤＰ３等の複列搬送手段７或いは複列搬送手段７７での容器搬送速度は、上流側コンベヤ３の容器搬送速度と同じ速度としてもよく、また、複列搬送手段７或いは複列搬送手段７７での容器搬送速度を容器Ｐの密着搬送速度としてもよく、目的とするアキューム能力に合わせて速度設定することができるが、複列搬送手段７或いは複列搬送手段７７での容器搬送速度については、本発明の限定条件ではないので、詳細な説明は省略する。
【符号の説明】
【００６６】
１，２  アキューム装置
３  上流側コンベヤ
４，５  上流側接続手段
４Ｓ，４４Ｓ  容器通過センサ（容器カウンター）
７，７７  複列搬送手段
７Ａ  （複列搬送手段７の）ブロック（Ａ）
７Ｂ  （複列搬送手段７の）ブロック（Ｂ）
７Ｐ，７Ｑ，７Ｒ  （複列搬送手段７７の）ブロック
８  下流側接続手段
８Ａ，８Ｂ  下流側接続コンベヤ
８ＡＧ，８ＢＧ  固定ガイド
９  下流側コンベヤ
９Ｓ  容器滞留検出手段
１０，２０  制御装置
１２  コンベヤ
１３Ａ，１３Ｂ  導入コンベヤ
１４  第２の振分け手段
１４Ｇ  振分けガイド
１５  第１の振分け手段
１５ＡＧ，１５ＢＧ  振分けガイド
２３Ａ，２３Ｂ  導入コンベヤ
２４  第３の振分け手段
２４Ｇ  振分けガイド
２５  第１の振分け手段
２５ＰＧ，２５ＱＧ，２５ＲＧ  振分けガイド
Ａ１〜Ａ４，Ｂ１〜Ｂ４  （複列搬送手段７の）単列コンベヤ
Ａ４Ｓ，Ｐ３Ｓ  容器カウンター
Ｐ１〜Ｐ３，Ｑ１〜Ｑ３，Ｒ１〜Ｒ３  （複列搬送手段７７の）単列コンベヤ
Ｐ  容器
【図１】
2014047065.tif 000003
【図２】
2014047065.tif 000004